(57)【特許請求の範囲】
【請求項１】
少なくとも１種類のテンプレートを記憶した記憶手段と、
コード番号によって指定された１種類のテンプレートを前記記憶手段から読み込むと共に、読み込んだ１種類のテンプレートを、入力されたプリントの種類に応じて拡大または縮小する拡縮手段と、
ディジタル画像と拡大または縮小されたテンプレートとを合成する合成手段と、
合成された画像のプリントを作成する単一のプリント作成手段と、
入力されたプリントの種類に応じて作成されたプリントを加工する複数の加工手段と、
を含む多品種プリント作成装置。
【発明の詳細な説明】
【０００１】
【発明の属する技術分野】
本発明は多品種プリント作成装置に係り、特に、１種類のテンプレートと１台のプリンタとを使用してシールプリント、ポストカード、及びカードプリント等の多品種のプリントを作成することができる多品種プリント作成装置に関する。
【０００２】
【従来の技術】
従来より、裏面に糊層が設けられかつ枠が打ち抜き加工された小サイズのプリントを離型紙に貼着したシールプリント、はがきと同じサイズのプリントをはがきに貼着したポストカード、及びシールプリントとポストカードとの中間のサイズのカードプリント等の多品種のプリントが知られている。
【０００３】
これらの多品種のプリントは、別々のパーソナルコンピュータを用いて、フィルムの画像または写真プリントの画像をスキャナで読み込んで得られたディジタル画像と各パーソナルコンピュータに予め記憶されているテンプレートとを合成して、別々のプリンタで焼付け、別々の加工機を用いて作成されている。
【０００４】
【発明が解決しようとする課題】
しかしながら、従来では別々のパーソナルコンピュータ及び別々のプリンタでシールプリント、ポストカード、及びカードプリント等の多品種のプリントを作成しているため、多品種のプリント毎にパーソナルコンピュータを用意すると共に、パーソナルコンピュータ毎にテンプレートを作成し、別々のプリンタで焼付けする必要があるためシステムが複雑になる、という問題があった。
【０００５】
本発明は、上記問題点を解決するために成されたもので、１種類のテンプレートと１台のプリンタとを使用してシールプリント、ポストカード、及びカードプリント等の多品種のプリントを作成することができる多品種プリント作成装置を提供することを目的とする。
【０００６】
【課題を解決するための手段】
上記目的を達成するために、本発明は、少なくとも１種類のテンプレートを記憶した記憶手段と、コード番号によって指定された１種類のテンプレートを前記記憶手段から読み込むと共に、読み込んだ１種類のテンプレートを、入力されたプリントの種類に応じて拡大または縮小する拡縮手段と、ディジタル画像と拡大または縮小されたテンプレートとを合成する合成手段と、合成された画像のプリントを作成する単一のプリント作成手段と、入力されたプリントの種類に応じて作成されたプリントを加工する複数の加工手段と、を含んで構成したものである。
【０００７】
本発明の記憶手段には、少なくとも１種類、好ましくは多種類のテンプレートが記憶されている。拡縮手段は、憶手段から１種類のテンプレートを読み込み、入力されたプリントの種類に応じて、読み込んだ１種類のテンプレートを拡大または縮小する。このプリントの種類としては、シールプリント、ポストカード、及びカードプリント等がある。合成手段は、ディジタル画像と拡大または縮小されたテンプレートとを合成し、プリント作成手段は、合成された画像のプリントを作成する。本発明では、単一のプリント作成手段を用いている。加工手段は、出力するプリントの種類に応じて設けられており、入力されたプリントの種類に応じて作成されたプリントを加工する。
【０００８】
これによって、単一のプリント作成手段を用いて多品種のプリントを作成することができる。
【０００９】
【発明の実施の形態】
以下、図面を参照して本発明の実施の形態について詳細に説明する。図１に示すように、本実施の形態は、テンプレートとディジタル画像とを合成し、出力するディジタル画像を作成するパーソナルコンピュータ１０を備えている。パーソナルコンピュータ１０には、テンプレートのコード番号等のデータを入力するためのキーボード１２、及びフィルムに記録された画像や写真プリントに記録された画像を読み取るスキャナ１４が接続されている。
【００１０】
また、パーソナルコンピュータ１０には、ＣＤ−ＲＯＭ１６に記憶されたテンプレートを読み込むためのＣＤ−ＲＯＭドライバが設けられている。このＣＤ−ＲＯＭ１６には、図２に示すような多種類のテンプレートがコード番号Ｎ−１，Ｎ−２，・・・Ｎ−Ｎと共に記憶されている。
【００１１】
パーソナルコンピュータ１０は、パーソナルコンピュータから入力されたディジタル画像データに基づいて、３色のレーザビームを用い、印画紙にカラー画像を書き込むディジタルプリンタ１８に接続されている。ディジタルプリンタ１８には、シールプリント及びポストカードのディジタル画像を書き込むための印画紙と、カードプリントの画像を書き込むための印画紙との２種類の印画紙が切り換えて使用可能なように収納されている。
【００１２】
また、ディジタルプリンタ１８の近傍には、カラー画像が書き込まれた印画紙を現像する現像装置２０が配置されている。この現像装置２０は、ディジタルプリンタに収納された２種類の印画紙を現像処理することができる。現像装置２０の出力側には、作成されたプリントをシールプリント２８に加工するためのシールプリント用加工装置２２、作成されたプリントをポストカード３０に加工するためのポストカード用加工装置２４、及び作成されたプリントをカードプリント３２に加工するためのカードプリント用加工装置２６が並列に配置されている。
【００１３】
シールプリント用加工装置２２は、小サイズの画像が多数格子状に形成されたプリントの裏面に糊層付き離型紙を貼着すると共に、カッターで小サイズの画像の境界をプリント層のみ打ち抜く工程を行ってシールプリントを作成する。ポストカード用加工装置２４は、はがきより若干大きいサイズのプリントとはがきとを貼着し、はがきに貼着されたプリントをはがきサイズに切断することによりポストカードを作成する。カードプリント用加工装置２６は、カッターで４隅が円弧形状に形成された矩形状に切断することによりカードプリントを作成する。
【００１４】
次に本実施の形態のプリント作成工程を図３のディジタル画像データ作成処理ルーチンを参照して説明する。
【００１５】
ＣＤ−ＲＯＭ１６に記憶されたテンプレート及びテンプレートのコード番号は、予めパーソナルコンピュータ１０にインストールされている。キーボード１２から作成するプリントの種類（シールプリント、ポストカード、及びカードプリントのいずれか１つ）及び使用するテンプレートのコード番号が入力されると、ステップ１００ではコード番号によって指定された１種類のテンプレートを読み込み、ステップ１０２において入力されたプリントの種類に応じてテンプレートを拡大または縮小する。
【００１６】
プリントサイズは、シールプリント、カードプリント、及びポストカードの順に大きくなるので、テンプレートの大きさをシールプリントに合わせて作成しＣＤ−ＲＯＭ１６に記憶した場合には、プリントの種類としてシールプリントが入力されると、テンプレートは拡大及び縮小されないが、カードプリントまたはポストカードが入力されるとカードプリントまたはポストカードのサイズに応じてテンプレートが拡大される。また、テンプレートの大きさをカードプリントに合わせて作成した場合には、プリントの種類としてシールプリントが入力されるとテンプレートはシールプリントのサイズに応じて縮小され、ポストカードが入力されるとテンプレートはポストカードのサイズに応じて拡大される。なお、テンプレートの大きさをポストカードに合わせて作成した場合には、プリントの種類としてポストカードが入力されると、テンプレートは拡大及び縮小されないが、シールプリントまたはポストカードが入力されるとテンプレートはカードプリントまたはポストカードのサイズに応じて縮小される。
【００１７】
上記のように拡大または縮小されたテンプレートは、ステップ１０４においてパーソナルコンピュータのＣＲＴに表示される。
【００１８】
ステップ１０６では、スキャナ１４によって、フィルムに記録された画像や写真プリントに記録された画像を読み込む。この画像読み込みは、ステップ１において画像読み込み終了と判断されるまで繰り返される。なお、フロッピーディスクやＣＤ−ＲＯＭ等の記憶媒体に記憶されたディジタル画像データを使用する場合には、スキャナ１４を用いることなくディジタル画像データをパーソナルコンピュータのドライバで読み取ればよい。
【００１９】
ステップ１０８において画像が読み取られたと判断されたときは、ステップ１１０において読み取った画像のディジタル画像データとテンプレートとを合成し、合成した画像をＣＲＴに表示する。
【００２０】
オペレータは、表示された画像を目視して必要に応じてキーボードを操作することにより編集作業を行い、ステップ１１２で編集作業終了と判断されると、ステップ１１４において合成した画像データをプリントの種類を示すデータと共にディジタルプリンタ１８に入力する。なお、住所等の文字データを合成する場合には、キーボードから文字データを入力して合成する。
【００２１】
ディジタルプリンタ１８では、プリントの種類を示すデータに基づいて印画紙を選択し、選択した印画紙に合成画像を書き込む。
【００２２】
合成画像が書き込まれた印画紙は、現像装置２０によって現像処理され、プリントが作成される。
【００２３】
オペレータは、作成されたプリントを目視して、プリントの種類を判断し、プリントの種類に対応するシールプリント用加工装置２２、ポストカード用加工装置２４、及びカードプリント用加工装置２６のいずれかにプリントをセットする。加工装置は、セットされたプリントを上記で説明したようにシールプリント、ポストカード、及びカードプリントのいずれかに加工する。
【００２４】
【発明の効果】
以上説明したように本発明によれば、１種類のテンプレートと単一のプリント作成手段とを使用してシールプリント、ポストカード、及びカードプリント等の多品種のプリントを作成することができる、という効果得られる。
【図面の簡単な説明】
【図１】本発明の実施の形態の多品種プリント作成装置を示す概略図である。
【図２】テンプレートの例を示す平面図である。
【図３】本実施の形態のディジタル画像データ作成処理ルーチンを示す流れ図である。
【符号の説明】
１０  パーソナルコンピュータ
１６  ＣＤ−ＲＯＭ
１８  ディジタルプリンタ
２０  現像装置
【図１】
0003896219.tif 000002
【図２】
0003896219.tif 000003
【図３】
0003896219.tif 000004